(57)【要約】  コンベヤ(1)および固定基部に支持されるフレーム(2)を備え、このフレーム上にコンベヤが設置された乗客輸送用の動く歩道、動くスロープ、またはエスカレータである。フレーム(2)は、互いに同一の複数の外郭金属体(3)で構成される。この金属体は、端部同士が連続的に結合され、また連続材からなる１つの外郭金属体と一体となった結合要素、支持要素および／または案内要素を含む。【選択図】図１
2007518649.tif 000002
【特許請求の範囲】
【請求項１】
コンベヤ(1)と、固定基部に支持されるフレーム(2)とを備え、該コンベヤが該フレーム上に設置され、前記フレーム(2)は複数の外郭金属体(3)を含み、該複数の外郭金属体(3)は連続材からなって連続的に結合して、前記外郭金属体と一体化した結合要素、支持要素および／または案内要素を含む動く歩道、動くスロープ、またはエスカレータにおいて、前記フレーム(2)は２つの長尺状のフレーム部(4、5)を含み、前記外郭金属体(3)は該フレーム部(4、5)の外見的に可視の外面を構成する一体化された壁(25)を含むことを特徴とする動く歩道、動くスロープ、またはエスカレータ。
【請求項２】
請求項１に記載の動く歩道、動くスロープ、またはエスカレータにおいて、前記フレーム(2)の２つのフレーム部(4、5)には前記コンベヤ(1)を案内する案内路(6)が設けられ、該フレーム部(4、5)は前記連続的に結合された外郭金属体(3)で構成され、前記フレームは複数の横渡し部材(7)を含み、該複数の横渡し部材は前記フレーム部(4、5)間で横に渡って該フレーム部を互いに離して平行に保持することを特徴とする動く歩道、動くスロープ、またはエスカレータ。
【請求項３】
請求項２に記載の動く歩道、動くスロープ、またはエスカレータにおいて、前記外郭金属体(3)は、アルミニウムまたはアルミ合金などの軽金属を押し出し成形した１つ以上の外郭材より構成されることを特徴とする動く歩道、動くスロープ、またはエスカレータ。
【請求項４】
請求項１ないし３のいずれかに記載の動く歩道、動くスロープ、またはエスカレータにおいて、前記コンベヤ(1)は、連続する複数のパレット(8)と、該パレットを固定して該パレットを作動するリンクチェーンまたはベルトなどの駆動要素9とを備えるパレットコンベヤであり、該駆動要素(9)は上段部(10)および下段部(11)を有する循環ループとして設けられることを特徴とする動く歩道、動くスロープ、またはエスカレータ。
【請求項５】
請求項１ないし４のいずれかに記載の動く歩道、動くスロープ、またはエスカレータにおいて、該動く歩道、動くスロープまたはエスカレータは手摺(12)を含み、該手摺は手摺枠(13)および循環手摺ベルト(14)を含み、該循環手摺ベルトは乗客が支えとして手で掴むことができる上部掴み部分(15)、および前記フレーム部(4、5)内部に配置された下部戻り部分(16)を有する輪として設けられていることを特徴とする動く歩道、動くスロープ、またはエスカレータ。
【請求項６】
請求項５に記載の動く歩道、動くスロープ、またはエスカレータにおいて、該動く歩道、動くスロープまたはエスカレータは、複数の懸架具(17)を含み、該複数の懸架具は、互いに距離をおいて前記外郭金属体(3)に結合されて前記手摺ベルト(14)の戻り部分(16)を支持することを特徴とする動く歩道、動くスロープ、またはエスカレータ。
【請求項７】
請求項６に記載の動く歩道、可動スロープ、またはエスカレータにおいて、前記手摺ベルト(14)は断面が実質的にC形状であり、その内側に内溝(18)を画成し、前記手摺ベルトの戻り部分(16)における該内溝は上向きに開き、該内溝の各端部には出縁(19)が間隙(20)を挟んで対向して設けられ、前記懸架具(17)は前記手摺ベルトの間隙(20)を通って前記内溝(18)に伸びる桁腹部(21)と、前記出縁(22)の下側で該桁腹部(21)の両端に広がる懸架具フランジ(22)とを含んで前記手摺ベルトを支持することを特徴とする動く歩道、可動スロープ、またはエスカレータ。
【請求項８】
請求項７に記載の動く歩道、動くスロープ、またはエスカレータにおいて、前記懸架具(17)は導線を固定するための結合要素(23)を１つ以上備えることを特徴とする動く歩道、動くスロープ、またはエスカレータ。
【請求項９】
請求項６ないし８のいずれかに記載の動く歩道、動くスロープ、またはエスカレータにおいて、前記懸架具(17)は摩擦係数が実質的に低い素材で形成されていることを特徴とする動く歩道、動くスロープ、またはエスカレータ。
【請求項１０】
請求項７ないし９のいずれかに記載の動く歩道、動くスロープ、またはエスカレータにおいて、前記懸架具フランジ(22)と接触する前記手摺ベルト(14)の縁(19)の接触面(24)は、摩擦係数が実質的に低い素材でコーティングされることを特徴とする動く歩道、動くスロープ、またはエスカレータ。
【請求項１１】
請求項１ないし１０のいずれかに記載の動く歩道、動くスロープ、またはエスカレータにおいて、連続材からなる１つの外郭金属体(3)は、次のグループ、すなわち
−固定基部に支持されるように合わせられた底部(26)、
−前記パレット(8)を支持して案内する案内路(6)を形成する第１の支え面(27、28)、
−前記手摺枠(13)を支持する第２支え面(29、30)、
−前記手摺枠(13)を固定する締結要素(32)の取り付け口(31)、
−前記懸架具(17)を固定する第１の結合要素(33)、
−内壁を形成する外郭体などの第２外郭体(35)を横方向から結合する第２の結合要素(34)、
−前記支え面（27、28）に磨耗板(43)を固定する第３の結合要素(44)、
−前記手摺ベルト(14)の戻り部分(16)を内部に収容する第１の空間(36)、
−前記駆動要素(9)の上段部(10)を内部に収容する第２の空間(37)、
−前記駆動要素(9)の下段部(11)を内部に収容する第３の空間(38)、
−前記外郭金属体(3)の端部同士を連続的に結合する拡張結合部品(40)を内部に収容する第４の空間(39)、および
−前記外郭金属体(3)の突き合わせの位置を決めるための位置決めピン(42)を内部に収容する第５の空間(41)、
のうちの１つ以上の要素を一体化して含むことを特徴とする動く歩道、動くスロープ、またはエスカレータ。
【請求項１２】
請求項１ないし１１のいずれかに記載の動く歩道、動くスロープ、またはエスカレータにおいて、該動く歩道、動くスロープまたはエスカレータは、床やその他の支持体などの固定基部に設置するように設計された低構造の動く歩道、動くスロープ、またはエスカレータであることを特徴とする動く歩道、動くスロープ、またはエスカレータ。
【発明の詳細な説明】
【発明の分野】
【０００１】
本発明は、請求項１の前段に記載の動く歩道、動くスロープ、またはエスカレータに関するものである。
【発明の背景】
【０００２】
従来の技術において、動く歩道、動くスロープ、またはエスカレータは、人々をコンベヤで水平方向または上昇／下降角度に輸送するものとして知られている。コンベヤはフレーム上に設置され、さらにこのフレームは固定式の構造体、例えば動く歩道の場合は床に、また動くスロープあるいはエスカレータの場合は各階の床に固定される。
【０００３】
例えば米国特許第4,811,829号の明細書から周知のとおり、エスカレータのフレームは一般に、梁部材を溶接した堅固なトラス構造体であり、この構造体上にコンベヤに必要な案内路およびその他の装備が個々の部品として取り付けられる。溶接して構築した枠組み構造の問題点は、正確な寸法の構造体を得るのが難しいことである。組み立てには高価で複雑な溶接治具の使用を要する。フレームは高価で、その製造も費用のかかる作業である。簡単に言えば、トラス構造体として構築されるフレームの荷重条件は、両端部が支えられる両端支持梁の荷重条件に類似し、一定の安全域であれば、構造体自体の重量、そこに取り付けられている部品の重量および乗客の重量を支えるように設計されているため、フレームは非常に重く扱いにくい。トラス構造体は、通常、非常に堅固で頑丈だが、重量の最適化はあまり行われない。
【０００４】
また、欧州特許第EP 1 321 424 A1号の明細書には、平面フレームプレート部品で構成されるフレーム構造体が開示されている。これらの部品は外郭部を有していない。フレームプレート部品には、１つ以上の開口部が設けられている。開口部は、ガス切断法、プラズマ切断法、またはレーザー切断法でプレートに形成される。このフレーム構造体には、製造に時間がかかり、費用もかかるという問題がある。
【発明の目的】
【０００５】
本発明は、上述の欠点を克服することを目的とする。
【０００６】
本発明は特に、低コストで製造できる安価なフレームを有する動く歩道、動くスロープ、またはエスカレータを開示することを目的とする。
【０００７】
さらに本発明は、フレーム自体が少しも大荷重を支えることなく、その全長を耐荷重性の支持構造体に設置可能な動く歩道、動くスロープ、またはエスカレータを開示することを目的とする。
【発明の簡単な説明】
【０００８】
本発明の動く歩道、動くスロープ、またはエスカレータは、請求項１に開示されている事項により特徴付けられる。本発明の他の実施例は、他の請求項に開示されている事項により特徴付けられる。また本発明の実施例は、本願の明細書および図面に示されている。本願に開示されている発明の内容は、特許請求の範囲に規定されているものとは別の形で規定することも可能である。また、本発明は、とくに外在あるいは内在するサブタスクの点から見た場合、または達成される利点あるいは一連の利点から見た場合に、いくつかの別々の発明から成っていてもよい。この場合、特許請求の範囲に含まれるある特徴が、別の発明思想の観点から見て不必要であってもよい。本発明の基本概念の枠内で、本発明の様々な実施例における特徴は、他の実施例と併せて適用可能である。
【０００９】
本発明において、フレームは、好ましくは断面が互いに同一で、かつ互いに連続的に結合する複数の外郭金属体で構成され、この外郭体は、前述の連続材からなる１つの外郭金属体と一体化した結合要素、支持要素および／または案内要素を有する。
【００１０】
本発明には、外郭金属体で構成されるフレーム構造体は安価であり、またその製造費用が安いという利点がある。様々な機能を有する要素を、同一外郭体という形で一体化できる。フレーム全体を固定基部に設置するため、きわめて軽量な低構造のフレーム構造体を実現できる。
【００１１】
本発明の一実施例において、フレームは、コンベヤを案内する案内路が設けられた２つの長尺状のフレーム部を備え、端部同士を連続的に結合した前述の外郭金属体またはそれに類似した物体で構成される。また、複数の横渡し部材がフレーム部間で横に渡り、フレーム部を互いに離れた位置で平行に保持する。
【００１２】
本発明の一実施例において、外郭金属体は、アルミニウムやアルミ合金などの軽合金を押し出し成形した、１つ以上の外郭材で構成される。
【００１３】
本発明の一実施例において、コンベヤは、複数の連続するパレットおよびリンクチェーンやベルトなどの駆動要素を備えるパレットコンベヤであり、パレットはこの駆動要素に接続して作動される。駆動要素は、上段部および下段部を有する循環ループとして設けられる。
【００１４】
本発明の一実施例において、動く歩道、動くスロープ、またはエスカレータは手摺を備え、さらにこの手摺は手摺枠および循環手摺ベルトを含む。循環手摺ベルトは、手摺枠で担持され、乗客が支えとして手で掴むことができる上部掴み部分、およびフレーム部内に配置された下部戻り部分を有する輪として設けられる。
【００１５】
本発明の一実施例において、動く歩道、動くスロープ、またはエスカレータは、手摺ベルトの戻り部分を支持し、互いに距離をおいて外郭金属体に結合される複数の懸架具を備える。
【００１６】
本発明の一実施例において、手摺ベルトはその断面が内部に内溝を画成する実質的にC形状で、手摺ベルトの戻り部分の内溝は上向きに開き、またその端部には、間に間隙を挟んで対向する出縁が設けられている。懸架具は、手摺ベルトの間隙を通って内溝に伸びる桁腹部と、出縁の下側で桁腹部の両端に広がる懸架具フランジとを備え、手摺ベルトを支持する。
【００１７】
本発明の一実施例において、懸架具は、導線を固定するための結合要素を１つ以上備える。
【００１８】
本発明の一実施例において、懸架具は、摩擦係数が実質的に低い素材で形成されている。
【００１９】
本発明の一実施例において、懸架具フランジと接触する手摺ベルトの出縁の接触面は、摩擦係数が実質的に低い素材でコーティングされている。
【００２０】
本発明の一実施例において、連続する材料からなる１つの外郭金属体は、次のグループのうち１つ以上の要素を一体化して含む。
【００２１】
−フレーム部の外見的に可視の外面を構成する壁、
−固定基部に支持されるように形成された底部、
−パレットを支持して案内する案内面を形成する第１の支え面、
−手摺枠が支持される第２の支え面、
−手摺枠を固定する締結要素用の取り付け口、
−懸架具を固定する第１の結合要素、
−内壁を形成する外郭体などの第２の外郭体を、横方向から結合する第２の結合要素、
−手摺ベルトの戻り部分をその内部に収容する第１の空間、
−駆動要素の上段部をその内部に収容する第２の空間、
−駆動要素の下段部をその内部に収容する第３の空間、
−外郭金属体の端部同士を連続的に結合する増設結合部品を内部に収容するために設けられた第４の空間、
−外郭金属体の突き合わせの位置を決めるための位置決めピンを内部に収容する第５の空間。
【００２２】
本発明の一実施例において、動く歩道、動くスロープ、またはエスカレータは、例えば床やその他の支持体などの固定基部に設置するように設計された低構造の動く歩道、動くスロープ、またはエスカレータである。
【発明の詳細な説明】
【００２３】
図１および図２は低構造の動く歩道を示している。この動く歩道は、床やその他の支持体などの固定基部に設置するように設計されているため、動く歩道の機械類用にピットを固定基部に設けなくてよい。以下の実施例の説明では、本発明を水平型の動く歩道に関連して説明しているが、本発明の当該原理を動くスロープおよびエスカレータに適用可能であることは言うまでもない。
【００２４】
本動く歩道は、コンベヤ1を備え、このコンベヤは例えばパレットコンベヤまたはベルトコンベヤでよく、フレーム2に支持される。フレーム2の全長は床基部に載っている。図２に示されるように、フレーム2は２つの長尺状のフレーム部4、5を有し、フレーム部4、5はフレーム部間を横に渡る複数の横渡し部材7によって互いから一定の距離をおいて平行するように結合される。フレーム部4、5は、端部同士を連続的に結合した互いに同一の外郭金属体3で構成される。金属体は案内要素6を備え、この案内要素は、図３および図４を参照して後述するとおり、コンベヤの結合部、支持部および／または可動部を案内するための、連続材からなる同一外郭材と一体化している。
【００２５】
また図１および図２に示されるように、本動く歩道はコンベヤ1の両側に１本ずつ、合わせて２本の手摺12を備えている。手摺12は、フレーム部4、5である外郭金属体3に固定された手摺枠13を有する。手摺枠13には循環式の手摺ベルト14が装着され、このベルトは、乗客が支えとして手で掴める上部掴み部分15と、フレーム部4、5内に配置された下部戻り部分16とからなる輪として設けられている。
【００２６】
図３はコンベヤ1の片側を示す概略図である。図示されていない他方側は、まったく同一ではあるが鏡像のように反転している。図からも明らかなとおり、コンベヤ１は、順次配列された複数のパレット8で構成されるパレットコンベヤである。本例では、パレットを作動させる駆動要素9はリンクチェーンであり、そこにパレットが固定されて作動する。駆動要素9は、図の面に対し垂直に伸びる循環ループとして実装されている。また図にはその上段部10および下段部11が示されている。上段に示されるパレット8は、輸送方向に動くパレットである。下段に示されるパレット8は、反対方向に動き、コンベヤ経路の開始点に戻るパレットである。
【００２７】
フレーム部4および5を構成する外郭金属体3は、軽金属、好ましくはアルミニウムまたはアルミ合金を押し出し成形した外郭材で構成され、１つの筐体に一体化された多様な機能を含んでいる。一実施例において、外郭材の高さは約34cmにすると、その低構造の判例となる。
【００２８】
図３に示されるように、手摺ベルト14は複数の懸架具17で支持される。懸架具のうちの１つが図示されているが、これらの懸架具は互いに距離をおいて外郭金属体3に締結され、手摺ベルト14の戻り部分16を支持する。手摺ベルト14はその断面が実質的にC形状であり、内側に内溝18を画成している。この溝は手摺ベルトの戻り部分16で上向きに開く。内溝18の両端部には、縁19が間隙20を挟んで対向して設けられている。
【００２９】
図３からもわかるように、懸架具17の桁腹部21は、手摺ベルトの間隙20を通って内溝18に伸びている。懸架具フランジ22は、出縁22の下で桁腹部21の両端に広がり、手摺ベルト14を支持する。
【００３０】
図５および図６から、懸架具17は垂直の取付フランジを備え、これによって懸架具17をねじ継手で外郭体3に固定することが可能である。取付フランジは、導線を取り付けるために、フランジに形成された３個のスナップ式結合部品23を有する。懸架具17は、プラスチックを押し出し成形した単一部品であるのが望ましい。手摺ベルトが懸架具上を低摩擦で滑走できるように、懸架具17を摩擦係数が実質的に低いプラスチック材で形成する。同様に、懸架具フランジ22と接触する手摺ベルト14の出縁19の接触面24を、摩擦係数が実質的に低い素材でコーティングしてもよい。
【００３１】
図３および図４からわかるように、連続材からなる１つの外郭金属体には、フレーム部4、5における外見的に可視の外面を構成する壁25と、固定基部に支持されるように合わせられた底部26とが一体化されている。また、外郭体3は、パレット8を支持して案内する案内路6を形成する第１の支え面27、28を有する。上部の支え面27は、荷重がかかったパレット8の車輪を支持する。上部支え面27の全長または一部は、鋼板などの磨耗板43で覆ってあってよく、この磨耗板は外郭金属体に形成された溝44に固定可能である。このような鋼板43は好ましくは、少なくとも外郭金属体3間の結合部に設けて、不正確な位置合わせによって生じ得る支え面の切れ目を解消するとよい。さらに、外郭金属体3には、第２の支え面29、30が一体化され、水平支え面29で手摺枠板13の端部を支持し、垂直支え面30で手摺枠板13の端面を支えることができる。また外郭体3には、手摺枠13の固定に用いる着脱ボルト32の取り付け口31が形成され、その口内にボルト32の頭部が収容できる。さらに外郭金属体3は、懸架具17を固定するための結合要素33として外郭金属体と一体化した溝を有する。そのほかに、この金属体の内壁を構成する第２の外郭体35を横方向から外郭金属体3に結合させるための、第２の結合要素34を有している。外郭金属体3はさらに、手摺ベルト14の戻り部分16を内部に収容するために設けられた第１の空間36を含む。外郭金属体3はまた、駆動要素9の上段部10を内部に収容するために設けられた第２の空間37を含む。第３の空間38は、その内部に駆動要素9の下段部11を収容できるようになっている。さらには、外郭金属体3は３つの第４の空間39を含み、その内部に外郭金属体3の端部同士を連続的に結合するための棒状の拡張結合部品40を収容できるようになっている。加えて、外郭金属体3は３つの第５の空間41を含み、その内部で丸型位置決めピン42を収容できるようになっている。またこのピンによって外郭金属体3を相互に正確に位置合わせすることが可能になる。
【００３２】
本発明は、上述の実施例に限定されるものではなく、本願特許請求の範囲に規定される発明概念の範囲において、多様な変形例が実行可能である。
【図面の簡単な説明】
【００３３】
【図１】本発明による動く歩道の実施例を示す概略側面図である。
【図２】図１における動く歩道をII−II方向から見た図である。
【図３】図１における動く歩道の一部を示す断面図である。
【図４】図３におけるフレーム部の外郭材およびそこに取り付け可能な被覆外郭材を示す図である。
【図５】図３におけるフレーム部3の外郭材に結合可能な懸架具を示す図である。
【図６】図５における懸架具の不等角投影図である。
【符号の説明】
【００３４】
1  コンベヤ
2  フレーム
3  外郭金属体
4、5  フレーム部
6  案内路
7  横渡し部材
8  パレット
9  駆動要素
10  上段部
11  下段部
12  手摺
13  手摺枠
14  手摺ベルト
15  上部掴み部分
16  下部戻り部分
17  懸架具
18  内溝
19  出縁
20  間隙
21  桁腹部
22  懸架具フランジ
23  結合部品
24  接触面
25  壁
26  底部
27、28  第１の支え面
29、30  第２の支え面
31  取り付け口
32  締結要素
33  第１の結合要素
34  第２の結合要素
35  外郭体
36  第１の空間
37  第２の空間
38  第３の空間
39  第４の空間
40  拡張結合部品
41  第５の空間
42  位置決めピン
44  第３の結合要素
43  磨耗板
【図１】
2007518649.tif 000003
【図２】
2007518649.tif 000004
【図３】
2007518649.tif 000005
【図４】
2007518649.tif 000006
【図５】
2007518649.tif 000007
【図６】
2007518649.tif 000008
【国際調査報告】
2007518649.tif 000009
2007518649.tif 000010
2007518649.tif 000011